【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】  一部が互いに入れ違いになった複数の横縦構造の情報データのそれぞれに独立して積符号を与えてそれぞれ訂正面としたエラー訂正符号ブロックにおいて、第１の訂正面について前記積符号を構成する一方の符号を用いてエラー訂正を行なう第１のステップと、前記第１の訂正面について前記積符号を構成する他方の符号を用いてエラー訂正を行なう第２のステップと、前記第１の訂正面とは異なる第２の訂正面について前記積符号を構成する一方の符号を用いてエラー訂正を行なう第３のステップと、前記第２の訂正面について前記積符号を構成する他方の符号を用いてエラー訂正を行なう第４のステップとを具備し、
前記第１ないし第４のステップの実行順序が、用途を示す情報が与えられると変化すること
を特徴とするエラー訂正方法。
【請求項２】  第１の用途を示す情報が与えられると、前記第１のステップの実行および前記第２のステップの実行が、常に、前記第３のステップの実行および前記第４のステップの実行より先に行なわれ、前記第１の用途とは異なる第２の用途を示す情報が与えられると、前記第１のステップの実行、前記第３のステップの実行、前記第２のステップの実行、前記第４のステップの実行の順、または前記第３のステップの実行、前記第１のステップの実行、前記第４のステップの実行、前記第２のステップの実行の順になされることを特徴とする請求項１記載のエラー訂正方法。
【請求項３】  一部が互いに入れ違いになった複数の横縦構造の情報データのそれぞれに独立して積符号を与えてそれぞれ訂正面としたエラー訂正符号ブロックにおいて、第１の訂正面について前記積符号を構成する一方の符号を用いてエラー訂正を行なう第１のステップと、前記第１の訂正面について前記積符号を構成する他方の符号を用いてエラー訂正を行なう第２のステップと、前記第１の訂正面とは異なる第２の訂正面について前記積符号を構成する一方の符号を用いてエラー訂正を行なう第３のステップと、前記第２の訂正面について前記積符号を構成する他方の符号を用いてエラー訂正を行なう第４のステップとを具備し、
前記第１のステップの実行および前記第２のステップの実行が、常に、前記第３のステップの実行および前記第４のステップの実行より先に行なわれ、
前記第１、第２のステップの実行の後に前記第１の訂正面についてエラー訂正が終了したか否かを判断するステップをさらに具備し、
前記判断の結果がエラー訂正の終了ではない場合には、前記第３、第４のステップを実行することなく、訂正に係るエラー訂正符号ブロックを更新して前記第１、第２のステップを再度実行すること
を特徴とするエラー訂正方法。
【請求項４】  前記第１のステップの実行および前記第２のステップの実行が、前記第１のステップの実行と前記第２のステップの実行との交互の３回以上の繰り返しであり、
前記第３のステップの実行および前記第４のステップの実行が、前記第３のステップの実行と前記第４のステップの実行との交互の３回以上の繰り返しである
ことを特徴とする請求項３記載のエラー訂正方法。
【請求項５】  前記第１ないし第４のステップの実行の後それぞれにおいて、対応する訂正面についてエラー訂正が終了したか否かを判断するステップをさらに具備し、
前記判断の結果がエラー訂正の終了である場合に同一訂正面について前記積符号を構成する符号を変えてエラー訂正をさらに１回行なう
ことを特徴とする請求項３記載のエラー訂正方法。
【請求項６】  一部が互いに入れ違いになった複数の横縦構造の情報データのそれぞれに独立して積符号を与えてそれぞれ訂正面としたエラー訂正符号ブロックにおいて、第１の訂正面について前記積符号を構成する一方の符号を用いてエラー訂正を行なう第１のステップと、前記第１の訂正面について前記積符号を構成する他方の符号を用いてエラー訂正を行なう第２のステップと、前記第１の訂正面とは異なる第２の訂正面について前記積符号を構成する一方の符号を用いてエラー訂正を行なう第３のステップと、前記第２の訂正面について前記積符号を構成する他方の符号を用いてエラー訂正を行なう第４のステップとを具備し、
前記第１のステップの実行、前記第３のステップの実行、前記第２のステップの実行、前記第４のステップの実行の順になされ、
前記第１ないし第４のステップの実行の後それぞれにおいて、対応する訂正面についてエラー訂正が終了したか否かを判断するステップをさらに具備し、
前記判断の結果がエラー訂正の終了である場合には、同一の訂正面についての前記第１ないし第４のステップの動作をその後スキップすること
を特徴とするエラー訂正方法。
【請求項７】  前記第１のステップの実行、前記第３のステップの実行、前記第２のステップの実行、前記第４のステップの実行が、この順の循環での５回以上のこれらの実行の繰り返しであることを特徴とする請求項６記載のエラー訂正方法。
【請求項８】  一部が互いに入れ違いになった複数の横縦構造の情報データのそれぞれに独立して積符号を与えてそれぞれ訂正面としたエラー訂正符号ブロックについてエラー訂正を行なうエラー訂正装置であって、
第１の訂正面について前記積符号を構成する一方の符号を用いてエラー訂正を行なう第１の手段と、前記第１の訂正面について前記積符号を構成する他方の符号を用いてエラー訂正を行なう第２の手段と、前記第１の訂正面とは異なる第２の訂正面について前記積符号を構成する一方の符号を用いてエラー訂正を行なう第３の手段と、前記第２の訂正面について前記積符号を構成する他方の符号を用いてエラー訂正を行なう第４の手段とを具備し、
前記第１ないし第４の手段による実行順序が、用途を示す情報が与えられると変化すること
を特徴とするエラー訂正装置。
【請求項９】  一部が互いに入れ違いになった複数の横縦構造の情報データのそれぞれに独立して積符号を与えてそれぞれ訂正面としたエラー訂正符号ブロックについてエラー訂正を行なうエラー訂正装置であって、
第１の訂正面について前記積符号を構成する一方の符号を用いてエラー訂正を行なう第１の手段と、前記第１の訂正面について前記積符号を構成する他方の符号を用いてエラー訂正を行なう第２の手段と、前記第１の訂正面とは異なる第２の訂正面について前記積符号を構成する一方の符号を用いてエラー訂正を行なう第３の手段と、前記第２の訂正面について前記積符号を構成する他方の符号を用いてエラー訂正を行なう第４の手段とを具備し、
前記第１の手段による実行および前記第２の手段による実行が、常に、前記第３の手段による実行および前記第４の手段による実行より先に行なわれ、
前記第１、第２の手段による実行の後に前記第１の訂正面についてエラー訂正が終了したか否かを判断する手段をさらに具備し、
前記判断の結果がエラー訂正の終了ではない場合には、前記第３、第４の手段による実行を行なうことなく、訂正に係るエラー訂正符号ブロックを更新して前記第１、第２の手段による実行を再度行なうこと
を特徴とするエラー訂正装置。
【請求項１０】  一部が互いに入れ違いになった複数の横縦構造の情報データのそれぞれに独立して積符号を与えてそれぞれ訂正面としたエラー訂正符号ブロックについてエラー訂正を行なうエラー訂正装置であって、
第１の訂正面について前記積符号を構成する一方の符号を用いてエラー訂正を行なう第１の手段と、前記第１の訂正面について前記積符号を構成する他方の符号を用いてエラー訂正を行なう第２の手段と、前記第１の訂正面とは異なる第２の訂正面について前記積符号を構成する一方の符号を用いてエラー訂正を行なう第３の手段と、前記第２の訂正面について前記積符号を構成する他方の符号を用いてエラー訂正を行なう第４の手段とを具備し、
前記第１の手段による実行、前記第３の手段による実行、前記第２の手段による実行、前記第４の手段による実行の順になされ、
前記第１ないし第４の手段による実行の後それぞれにおいて、対応する訂正面についてエラー訂正が終了したか否かを判断する手段をさらに具備し、
前記判断の結果がエラー訂正の終了である場合には、同一の訂正面についての前記第１ないし第４の手段による動作をその後スキップすること
を特徴とするエラー訂正装置。